(57)【要約】【課題】  使用者の要望に応じてスピーカ部の音量、音質を最適な状態で最大限に高めることができる。【解決手段】  第１ケース２のスピーカ収納部９内に、スピーカ部１１を収納したスピーカケース８を傾斜横倒可能に配置すると共に、この第１ケース２にスピーカ部１１の音量を調節する音量スイッチ１５を設け、この音量スイッチ１５の音量調節に連動して連動機構２０がスピーカ部１１を傾斜横倒させるように構成した。従って、音量スイッチ１５を操作してスピーカ部１１を音量調節すると、これに伴って連動機構２０が自動的にスピーカケース８を傾斜させるので、スピーカ部１１を音量調節に応じて傾けることができる。これにより、使用者の要望に応じてスピーカ部１１の音量、音質を最適な状態で最大限に高めることができる。【選択図】        図４
2005252513.tif 000002
【特許請求の範囲】
【請求項１】
本体ケースと、
この本体ケースに傾斜横倒可能に配置されたスピーカ部と、
前記本体ケースに設けられて前記スピーカ部の音量を調節する音量スイッチと、
この音量スイッチの音量調節に連動して前記スピーカ部を傾斜横倒させる連動機構と
を備えたことを特徴とするスピーカ装置。
【請求項２】
前記連動機構は、前記スピーカ部の音量を大きくするときの前記音量スイッチの音量調節操作に応じて前記スピーカ部の傾斜角を次第に大きくすることを特徴とする請求項１に記載のスピーカ装置。
【請求項３】
前記連動機構は、前記音量スイッチの音量調節操作に応じて回転する回転体と、この回転体の回転動作に応じて前記回転体を上下方向に移動させる移動支持体とを備え、この移動支持体による前記回転体の上下方向への移動に応じて前記回転体が前記スピーカ部を傾斜横倒させることを特徴とする請求項１または２に記載のスピーカ装置。
【請求項４】
前記音量スイッチはその一部が前記本体ケースの側面から外部に突出し、前記スピーカ部は前記本体ケースの前記側面の近傍に前記音量スイッチに対応して配置されていることを特徴とする請求項１〜３のいずれかに記載のスピーカ装置。
【請求項５】
本体ケースと、
この本体ケースに回転可能に設けられてスピーカ部を内蔵するスピーカユニットと、
このスピーカユニットの回転量を検出して前記スピーカ部の音量を調節するための検出部と
を備えたことを特徴とするスピーカ装置。
【請求項６】
前記スピーカユニットはその一部が前記本体ケースの側面から外部に突出していることを特徴とする請求項５に記載のスピーカ装置。
【請求項７】
前記スピーカユニットを前記本体ケースの出没方向にスライド可能に保持するスライド機構と、前記スピーカユニットのスライドに応じて機能を切り替える切替スイッチとを備えていることを特徴とする請求項５または６に記載のスピーカ装置。
【請求項８】
前記スピーカユニットを回転操作して前記スピーカ部の音量を調節した状態で、前記スピーカユニットをスライドさせたときに、前記スピーカ部の音量を固定する音量固定スイッチ部を備えていることを特徴とする請求項７に記載のスピーカ装置。
【請求項９】
前記本体ケースは、互いに重なり合う第１ケースと第２ケースとをヒンジ部によって回動可能に取り付けてなり、前記第１、第２ケースのうち、一方のケースに前記スピーカ部を設け、他方のケースに前記スピーカ部の磁力に吸引される吸引部材を前記スピーカ部に対応させて設けたことを特徴とする請求項１〜８のいずれかに記載のスピーカ装置。
【発明の詳細な説明】
【技術分野】
【０００１】
この発明は、電子辞書やＰＤＡ（パーソナル・デジタル・アシスタント）などの電子機器に用いられるスピーカ装置に関する。
【背景技術】
【０００２】
例えば、電子辞書においては、キー入力部およびスピーカ部を有する下ケースと表示部を有する上ケースとをヒンジ部によって回動可能に取り付け、上ケースと下ケースとを回動させて閉じると、上ケースと下ケースとが互いに重なり合うことにより、コンパクトに携帯することができ、また上ケースと下ケースとを回動させて開くと、上ケースの表示部および下ケースのキー入力部とスピーカ部とがそれぞれ露呈することにより、良好に使用できるようにしたものがある。
【０００３】
このような電子辞書では、キー入力部の入力操作性およびスピーカ部の音質を向上させるために、上ケースと下ケースとの間に中ケースを設け、この中ケースにキー入力部とスピーカ部とを設け、使用するときに上ケースと下ケースとを開いて、中ケースを下ケースの上方に傾斜させて配置するように構成したものが開発されている。
【特許文献１】特開２００２−０８２７３９号公報
【発明の開示】
【発明が解決しようとする課題】
【０００４】
しかしながら、従来の電子辞書では、上ケースと下ケースとを開いたときに中ケースが下ケースの上方に傾斜して配置されることにより、キー入力部の入力操作性を向上させることができると共に、スピーカ部の裏面側に共鳴空間を広く形成して、ある程度、音質を高めることができるが、スピーカ部が中ケースに固定されているため、スピーカ部を中ケースの傾斜角度だけ下ケースに対して傾けることはできても、スピーカ部の音量に応じてスピーカ部を下ケースに対し傾けることができない。このため、使用者の要望に応じてスピーカ部の音量、音質を最適な状態に調節することができず、スピーカ部の音量、音質を最適な状態で最大限に高めることができないという問題がある。
【０００５】
また、このような従来の電子辞書では、スピーカ部と音量スイッチとが別々に構成され、それぞれ異なる位置に配置されているため、スピーカ部と音量スイッチとを別々に実装するためのスペースを予め下ケースに確保する必要がある。このため、スピーカ部と音量スイッチとが実装スペースの制約を受け、外観やデザインが制約を受けるばかりか、機器全体が大型化するという問題もある。
【０００６】
この発明が解決しようとする第１の課題は、使用者の要望に応じてスピーカ部の音量、音質を最適な状態で最大限に高めることができるスピーカ装置を提供することである。
また、この発明の第２の課題は、スピーカ部と音量スイッチとを一体化し、実装スペースや外観などの制約を軽減し、装置全体のコンパクト化を図ることができるスピーカ装置を提供することである。
【課題を解決するための手段】
【０００７】
この発明は、上記課題を解決するために、次のような構成要素を備えている。
なお、各構成要素には、後述する各実施形態の項で説明される各要素に付されている図面の参照番号などを括弧と共に付す。
請求項１に記載の発明は、図１〜図９に示すように、本体ケース（第１ケース２）と、この本体ケースに傾斜横倒可能に配置されたスピーカ部（１１）と、前記本体ケースに設けられて前記スピーカ部の音量を調節する音量スイッチ（１５）と、この音量スイッチの音量調節に連動して前記スピーカ部を傾斜横倒させる連動機構（２０）とを備えたことを特徴とするスピーカ装置である。
【０００８】
請求項２に記載の発明は、図１〜図９に示すように、前記連動機構（２０）が、前記スピーカ部（１１）の音量を大きくするときの前記音量スイッチ（１５）の音量調節操作に応じて前記スピーカ部の傾斜角を次第に大きくすることを特徴とする請求項１に記載のスピーカ装置である。
【０００９】
請求項３に記載の発明は、図１〜図９に示すように、前記連動機構（２０）が、前記音量スイッチ（１５）の音量調節操作に応じて回転する回転体（歯車２２）と、この回転体の回転動作に応じて前記回転体を上下方向に移動させる移動支持体（２３）とを備え、この移動支持体による前記回転体の上下方向への移動に応じて前記回転体が前記スピーカ部（１１）を傾斜横倒させることを特徴とする請求項１または２に記載のスピーカ装置である。
【００１０】
請求項４に記載の発明は、図１〜図９に示すように、前記音量スイッチ（１５）の一部が前記本体ケース（第１ケース２）の側面から外部に突出し、前記スピーカ部（１１）が前記本体ケースの前記側面の近傍に前記音量スイッチに対応して配置されていることを特徴とする請求項１〜３のいずれかに記載のスピーカ装置である。
【００１１】
請求項５に記載の発明は、図１０〜図２０に示すように、本体ケース（第１ケース２）と、この本体ケースに回転可能に設けられてスピーカ部（１１）を内蔵するスピーカユニット（３１）と、このスピーカユニットの回転量を検出して前記スピーカ部の音量を調節するための検出部（３２）とを備えたことを特徴とするスピーカ装置である。
【００１２】
請求項６に記載の発明は、図１０〜図２０に示すように、前記スピーカユニット（３１）の一部が前記本体ケース（第１ケース２）の側面から外部に突出していることを特徴とする請求項５に記載のスピーカ装置である。
【００１３】
請求項７に記載の発明は、図１５〜図２０に示すように、前記スピーカユニット（３１）を前記本体ケース（第１ケース２）の出没方向にスライド可能に保持するスライド機構（４１）と、前記スピーカユニットのスライドに応じて機能を切り替える切替スイッチ（４２）とを備えていることを特徴とする請求項５または６に記載のスピーカ装置である。
【００１４】
請求項８に記載の発明は、図１５〜図２０に示すように、前記スピーカユニット（３１）を回転操作して前記スピーカ部（１１）の音量を調節した状態で、前記スピーカユニットをスライドさせたときに、前記スピーカ部の音量を固定する音量固定スイッチ部（音量固定スイッチ４３）を備えていることを特徴とする請求項７に記載のスピーカ装置である。
【００１５】
請求項９に記載の発明は、図１〜図２０に示すように、前記本体ケース（１）が、互いに重なり合う第１ケース（２）と第２ケース（３）とをヒンジ部（４）によって回動可能に取り付けてなり、前記第１、第２ケースのうち、一方のケース（第１ケース２）に前記スピーカ部（１１）を設け、他方のケース（第２ケース３）に前記スピーカ部の磁力に吸引される吸引部材（磁石２５）を前記スピーカ部に対応させて設けたことを特徴とする請求項１〜８のいずれかに記載のスピーカ装置である。
【発明の効果】
【００１６】
請求項１に記載の発明によれば、本体ケースにスピーカ部を傾斜横倒可能に配置すると共に、この本体ケースにスピーカ部の音量を調節する音量スイッチを設け、この音量スイッチの音量調節に連動して連動機構がスピーカ部を傾斜横倒させるので、音量スイッチを操作してスピーカ部の音量を調節するだけで、連動機構が自動的にスピーカ部を音量調節に応じて本体ケースに対し傾けることができ、これにより使用者の要望に応じてスピーカ部の音量、音質を最適な状態で最大限に高めることができる。
【００１７】
請求項２に記載の発明によれば、スピーカ部の音量を大きくするときの音量スイッチの音量調節操作に応じて連動機構がスピーカ部の傾斜角を次第に大きくするので、スピーカ部の音量を大きくすると、スピーカ部の傾斜角が大きくなり、これに伴ってスピーカ部の裏面側の共鳴空間を広くすることができると共に、スピーカ部からの音の指向性をも高めることができ、これによりスピーカ部の音量、音質を、より一層、最適な状態で最大限に高めることができる。
【００１８】
請求項３に記載の発明によれば、連動機構が、音量スイッチの音量調節操作に応じて回転する回転体と、この回転体の回転に応じて回転体を上下方向に移動させる移動支持体とを備えているので、音量スイッチの音量調節操作に応じて回転体を回転させると、この回転体の回転に応じて移動支持体が回転体を上下方向に移動させると共に、この回転体の上下方向への移動によってスピーカ部を傾斜横倒させることができる。このため、音量スイッチの音量調節操作に応じてスピーカ部を確実に且つ最適な状態に傾けることができると共に、連動機構が回転体と移動支持体とを備えただけの構造であるから、部品点数が少なく、構造も簡単で、安価なものを得ることができる。
【００１９】
請求項４に記載の発明によれば、音量スイッチの一部が本体ケースの側面から外部に突出しているので、音量スイッチを本体ケースの外部から容易に且つ確実に操作することができ、これによりスピーカ部の音量、音質を簡単に且つ良好に調節することができると共に、スピーカ部が音量スイッチの一部に対応する本体ケースの側面の近傍に配置されているので、装置全体をコンパクトに構成することができる。
【００２０】
請求項５に記載の発明によれば、スピーカ部を内蔵するスピーカユニットを本体ケースに回転可能に設け、このスピーカユニットの回転量を検出部で検出してスピーカ部の音量を調節するので、スピーカユニットを音量スイッチの回転ダイヤルとして使用することができ、これによりスピーカ部と音量スイッチとの一体化を図ることができる。このため、スピーカ部と音量スイッチとを別々に実装する必要がないので、実装スペースおよび外観やデザインなどの制約が少なく、装置全体のコンパクト化を図ることができる。
【００２１】
請求項６に記載の発明によれば、スピーカユニットの一部が本体ケースの側面から外部に突出しているので、装置全体をコンパクトに構成しても、請求項４に記載の発明と同様、音量スイッチを本体ケースの外部から容易に且つ確実に操作することができ、これによりスピーカ部の音量を簡単に且つ良好に調節することができる。
【００２２】
請求項７に記載の発明によれば、スピーカユニットを本体ケースの出没方向にスライド可能に保持するスライド機構と、スピーカユニットのスライドに応じて機能を切り替える切替スイッチとを備えているので、スピーカ部と音量スイッチとをスピーカユニットとして一体化した状態で、スライド機構および切替スイッチをもスピーカユニットと一体化することができ、これにより、より一層、装置全体のコンパクト化を図ることができる。
【００２３】
この場合、スピーカ部を使用しないときには、スライド機構によってスピーカユニットを本体ケース内に没入させて収納することができ、これによりコンパクトに携帯することができる。また、使用するときには、スピーカユニットを本体ケースから突出させることにより、スピーカ部の音を良好に聞くことができる。また、スピーカユニットをスライドさせるだけで、簡単に切替スイッチによって機能を切り替えることができるので、例えば機能としてスピーカ機能とイヤホン機能とを切り替えることができ、これにより使い勝手の良いものを得ることができる。
【００２４】
請求項８に記載の発明によれば、スピーカユニットを回転操作してスピーカ部の音量を調節した状態で、スピーカユニットをスライドさせたときに、スピーカ部の音量を固定する音量固定スイッチ部を備えているので、この音量固定スイッチ部によってスピーカ部の音量を最適な状態に維持することができ、このため不用意にスピーカ部が大きな音を発生することがなく、いつでも同じ音量でスピーカ部の音を良好に聞くことができ、これによっても使い勝手いの良いものを得ることができる。
【００２５】
請求項９に記載の発明によれば、本体ケースが互いに重なり合う第１ケースと第２ケースとをヒンジ部によって回動可能に取り付けてなり、これら第１、第２ケースのうち、一方のケースにスピーカ部を設け、他方のケースにスピーカ部の磁力に吸引される吸引部材をスピーカ部に対応させて設けたので、ヒンジ部を中心に第１、第２ケースを回動させて閉じると、スピーカ部の磁力と吸引部材の磁力とによって第１、第２ケースを吸引して確実に閉めることができ、これにより携帯時に第１、第２ケースが勝手に開かないようにすることができるので、安全で使い勝手の良いものを得ることができる。
【発明を実施するための最良の形態】
【００２６】
（実施形態１）
以下、図１〜図９を参照して、この発明のスピーカ装置を電子辞書に適用した実施形態１について説明する。
図１はこの発明の電子辞書を開いて使用する状態の平面図、図２はその電子辞書を閉じる状態における一部破断した側面図、図３は図１の要部を示した拡大平面図である。
この電子辞書は、図１および図２に示すように、本体ケース１を備えている。この本体ケース１は、互いに重なり合う第１、第２ケース２、３を有し、この第１ケース２と第２ケース３とがヒンジ部４によって開閉可能に取り付けられた構成になっている。
【００２７】
第１ケース２は、図１に示すように、横長のほぼ平板状に形成されている。この第１ケース２における第２ケース３に対向する上面には、数字キーカーソルキー、ファンクションキーなどの各種のキーを備えたキーボード部５が設けられており、この第１ケース２における手前両側には、それぞれ後述するスピーカ装置６が設けられている。また、第２ケース３は、第１ケース２と同じ大きさで、横長のほぼ平板状に形成されている。この第２ケース３における第１ケース２に対向する下面には、表示部７が設けられている。この表示部７は、液晶表示素子やＥＬ表示素子（エレクトロルミネッセンス表示素子）などの平面型の表示素子で構成されている。
【００２８】
スピーカ装置６は、図３〜図６に示すように、スピーカケース８を備えている。このスピーカケース８は、図３に示すように、第１ケース２の上面における手前両側の各隅部にそれぞれ設けられたスピーカ収納部９内に傾斜横倒可能に配置されている。すなわち、このスピーカケース８は、図３および図５に示すように、その手前側の一端部（図５では左端部）が回動軸１０によってスピーカ収納部９内に上下方向に回動可能に取り付けられている。このスピーカケース８の内部には、図３〜図６に示すように、スピーカ部１１が設けられている。このスピーカ部１１は、磁石部１２とコーン部１３とを備え、接続線（図示せず）によって回動軸１０内を通して第１ケース２内に配置された回路基板１４と電気的に接続されている。
【００２９】
また、このスピーカ装置６は、図３〜図６に示すように、音量スイッチ１５を備えている。この音量スイッチ１５は、回転ダイヤル１６と、この回転ダイヤル１６の回転量を検出する基板状の検出部１７とを備え、第１ケース２内におけるスピーカ収納部９の下側近傍に配置されている。すなわち、この音量スイッチ１５は、図４および図８に示すように、第１ケース２内の回路基板１４上に設けられた検出部１７上に支持軸１８が設けられ、この支持軸１８に回転ダイヤル１６が回転可能に支持され、この状態で回転ダイヤル１６の回転量を検出部１７で検出することにより、スピーカ部１１の音量を調節するように構成されている。
【００３０】
この場合、回転ダイヤル１６は、図３および図４に示すように、スピーカケース８が配置されるスピーカ収納部９の近傍に位置する第１ケース２の側面に形成されたスリット状の開口部１９から回転ダイヤル１６の一部が第１ケース２の外部に突出し、この突出した部分を操作することにより、検出部１７の支持軸１８を中心に回転するように構成されている。また、検出部１７は、図８および図９に示すように、回転ダイヤル１６に対向する上面にほぼリング状の固定電極１７ａが設けられ、回転ダイヤル１６の下面に可動電極１７ｂが設けられ、この可動電極１７ｂが固定電極１７ａ上を接触しながら移動することにより、固定電極１７ａに対する可動電極１７ｂの接触位置によって回転ダイヤル１６の回転量を検出するように構成されている。なお、固定電極１７ａと可動電極１７ｂとは、それぞれ回路基板１４と電気的に接続されている。
【００３１】
さらに、このスピーカ装置６は、図４〜図７に示すように、回転ダイヤル１６の回転量に応じてスピーカケース８を傾斜横倒させる連動機構２０を備えている。この連動機構２０は、音量スイッチ１５の回転ダイヤル１６の外周面に形成された歯車部２１と、この歯車部２１に噛み合った状態で回転ダイヤル１６の音量調節操作に応じて回転する歯車２２と、この歯車２２を回転可能に支持すると共にその歯車２２の回転に伴って歯車２２を上下方向に移動させる移動支持体２３とを備えている。この場合、歯車２２は、その上端部がスピーカ収納部９の開口部９ａを通してスピーカケース８の下端面に当接している。
【００３２】
移動支持体２３は、図４〜図７に示すように、円筒状に形成され、その中心部に第１ケース２内の底部に設けられた支持ボス２４が嵌め込まれた状態で、支持ボス２４に固定されている。この移動支持体２３の外周面には、図７に示すように、ねじ部２３ａが形成されており、歯車２２の中心部分には、移動支持体２３のねじ部２３ａに螺合するねじ孔２２ａが形成されている。
【００３３】
これにより、歯車２２は、回転ダイヤル１６の音量調節操作に応じて回転すると、その回転に伴って移動支持体２３のねじ部２３ａに沿って上下方向に移動し、スピーカ収納部９の開口部９ａを通してスピーカケース８を上下方向に移動させることにより、スピーカケース８をその回動軸１０を中心に回動させてスピーカ部１１をスピーカケース８と共に傾斜横倒させるように構成されている。
【００３４】
ところで、第１ケース２のスピーカ装置６に対応する第２ケース３内における両側隅部には、それぞれ磁石２５が両側の各スピーカ部１１に対応して設けられている。これら磁石２５は、第１ケース２のスピーカケース８内に設けられたスピーカ部１１の磁石部１２と吸引し合うことにより、第１ケース２と第２ケース３とを互いに密着させて閉じるように構成されている。
【００３５】
このような電子辞書によれば、第１ケース２のスピーカ収納部９内にスピーカ装置６のスピーカケース８をそれぞれ収納し、この状態で第１ケース２と第２ケース３とをそのヒンジ軸４を中心に回動させて閉じると、第１、第２ケース２、３が互いに重なり合うので、コンパクトに携帯することができる。このときには、第１ケース２のスピーカケース８内に設けられたスピーカ部１１の磁石部１２と第２ケース３に設けられた磁石２５とがその磁力によって互いに引き寄せられているので、第１、第２ケース２、３を確実に閉じることができる。
【００３６】
このため、携帯時に第１、第２ケース２、３が勝手に開かないようにすることができ、これにより安全に携帯することができる。この場合、第２ケース３の磁石２５が吸引される磁石として、第１ケース２側に配置されたスピーカ部１１の磁石部１２を利用していることにより、第１ケース２に専用の磁石を設ける必要がないため、部品点数を削減することができると共に、機器全体のコンパクト化をも図ることができる。
【００３７】
また、この電子辞書を使用する場合には、第１ケース２側に配置されたスピーカ部１１の磁石部１２と第２ケース３に設けられた磁石２５との磁力による吸引力に抗して、第１、第２ケース２、３をそのヒンジ軸４を中心に回動させて開くと、図１に示すように、第１ケース２のキーボード部５とスピーカ装置６とが露呈すると共に、第２ケース３の表示部７が露呈し、これにより表示部７に表示された情報を見ながら、キーボード部５でキー入力操作をすることができると共に、スピーカ装置６で音を聞くことができる。
【００３８】
このときには、スピーカ装置６の音量スイッチ１５を操作することにより、スピーカ部１１の音量を調節することができる。例えば、スピーカ部１１の音量を大きくする場合には、音量スイッチ１５の回転ダイヤル１６を図３に示す矢印Ｘ方向に回転させると、スピーカ部１１の音量が大きくなると共に、図４に示すように、回転ダイヤル１６の歯車部２１に噛み合う歯車２２が回転し、この歯車２２の回転に伴って歯車２２がそのねじ孔２２ａに螺合した移動支持体２３のねじ部２３ａに沿って上方に移動するので、この歯車２２がスピーカ収納部９の開口部９ａを通してスピーカケース８を押し上げる。
【００３９】
このため、図５に示すように、スピーカケース８が回動軸１０を中心に上方に向けて回動し、スピーカ部１１がスピーカケース８と共にスピーカ収納部９内に傾斜した状態で起立する。これにより、音量スイッチ１５の音量調節操作に応じてスピーカ部１１を傾斜させることができるので、スピーカ部１１の裏面側に共鳴空間を広く形成することができ、この共鳴空間によってスピーカ部１１の音量および音質を高めることができると共に、音量スイッチ１５の音量調節操作に応じてスピーカ部１１が傾斜することにより、スピーカ部１１からの音の指向性をも高めることができる。
【００４０】
これにより、使用者の要望に応じてスピーカ部１１の音量、音質を最適な状態で最大限に高めることができる。また、スピーカ部１１の音量を小さくする場合には、音量スイッチ１５の回転ダイヤル１６を図３に示す矢印Ｙ方向に回転させると、スピーカ部１１の音量が小さくなると共に、歯車２２が移動支持体２３によって下方に移動し、スピーカケース８の傾きが小さくなるので、スピーカ部１１の音量および音質を更に下げることができる。
【００４１】
このように、この電子辞書によれば、音量スイッチ１５の回転ダイヤル１６を操作してスピーカ部１１の音量を調節するだけで、連動機構２０が自動的にスピーカケース８を傾けるので、音量スイッチ１５による音量調節操作に応じてスピーカ部１１を最適な状態に傾斜させることができ、これにより使用者の要望に応じてスピーカ部１１の音量、音質を最適な状態で最大限に高めることができる。この場合、連動機構２０は歯車２２と移動支持体２３とを備えただけの構造であるから、部品点数が少なく、構造も簡単で、安価なものを得ることができる。
【００４２】
また、音量スイッチ１５の回転ダイヤル１６の一部が第１ケース２の側面に設けられたスリット状の開口部１９から外部に突出しているので、音量スイッチ１５の回転ダイヤル１６を第１ケース２の外部から容易に且つ確実に操作することができ、これによりスピーカ部１１の音量および音質を簡単に且つ良好に調節することができる。しかも、第１ケース２の側面から突出する回転ダイヤル１６の一部に対応する第１ケース２の側面の近傍にスピーカケース８を配置しているので、装置全体をコンパクトに構成することができ、これにより使い勝手の良いものを得ることができる。
【００４３】
（実施形態２）
次に、図１０〜図１４を参照して、この発明のスピーカ装置を電子辞書に適用した実施形態２について説明する。なお、図１〜図９に示された実施形態１と同一部分には同一符号を付して説明する。
この電子辞書は、第１ケース２の手前側における両側隅部に配置されたスピーカ装置３０が、スピーカ部１１を内蔵して第１ケース２内に回転可能に配置されたスピーカユニット３１と、このスピーカユニット３１の回転量を検出する検出部３２とを備えた構造で、これ以外は実施形態１とほぼ同じ構造になっている。
【００４４】
すなわち、このスピーカ装置３０は、図１４に示すように、スピーカユニット３１が検出部３２に対して回転可能に取り付けられ、この検出部３２が第１ケース２内の回路基板１２上に設けられた構成になっている。スピーカユニット３１は、中空状の円盤状に形成されたスピーカケース３１ａ内にスピーカ部１１を収納し、このスピーカケース３１ａが第１ケース２内に配置された状態で検出部３２に対して回転可能に配置されている。
【００４５】
また、このスピーカユニット３１は、そのスピーカケース３１ａの外周面に滑り止め用の凹凸溝３１ｂが設けられ、その一部が第１ケース２の側面に設けられたスリット状の開口部１９から外部に突出し、この突出した部分を操作することにより、回転するように構成されている。検出部３２は、図１４に示すように、スピーカユニット３１の下面に設けられた円板状の可動基板３３と、第１ケース２内の回路基板１２上に設けられた固定基板３４とを備え、この固定基板３４上に設けられた支持軸３４ａに可動基板３３が回転可能に取り付けられ、この状態で可動基板３３がスピーカユニット３１と共に回転するように構成されている。
【００４６】
この場合、固定基板３４の上面には、実施形態１と同様、ほぼリング状の固定電極１７ａ（図９参照）が設けられており、可動基板３３の下面には、固定電極１７ａ上を接触して移動する可動電極１７ｂ（図９参照）が設けられている。これにより、検出部３２は、スピーカユニット３１の回転に応じて可動電極１７ｂが固定電極１７ａ上を接触して移動することにより、固定電極１７ａに対する可動電極１７ｂの接触位置によってスピーカユニット３１の回転量を検出し、スピーカ部１１の音量を調節するように構成されている。
【００４７】
また、スピーカユニット３１は、第１ケース２内の奥側（図１４では左側）に位置するスピーカケース３１ａの外周面が第１ケース２の内面に設けられた位置規制部３５に接触し、スピーカユニット３１の下面に設けられた可動基板３３の外周面の一部が第１ケース２の開口部１９の縁部に設けられた位置規制部３６に接触し、この状態で第１ケース２内に回転可能に配置されている。これにより、スピーカユニット３１は、位置規制部３５、３６に接触して位置規制され、これによりスピーカユニット３１が勝手に回転しないように構成されている。
【００４８】
また、スピーカ装置３０が設けられた個所の第１ケース２の上面には、図１０および図１２に示すように、多数の放音孔３７が設けられている。また、第１ケース２の側面には、図１３に示すように、イヤホン接続部３８が第１ケース２の側面に設けられた開口部１９の近傍に位置して設けられており、その近傍に位置する第１ケース２の下面には、スピーカ機能とイヤホ機能とを切り替える切替スイッチ３９が設けられている。なお、第２ケース３の手前側の両側隅部には、実施形態１と同様、磁石２５がスピーカユニット３１のスピーカ部１１に対応して設けられている。
【００４９】
このような電子辞書のスピーカ装置３０では、スピーカ部１１を内蔵したスピーカユニット３１が第１ケース２内に回転可能に配置されていると共に、このスピーカユニット３１の一部が第１ケース２の側面に設けられた開口部１９から外部に突出しているので、このスピーカユニット３１の外部に突出した部分を操作してスピーカユニット３１を回転させることができると共に、このスピーカユニット３１の回転量を検出部３２で検出することにより、スピーカ部１１の音量を調節することができる。
【００５０】
この場合、スピーカ部１１を内蔵したスピーカユニット３１が音量を調節するためのダイヤルの機能を果たすと共に、このスピーカユニット３１がその回転量を検出する検出部３２上に回転可能に配置されているので、スピーカ部１１と音量を調節するための検出部３２とを一体化することができる。このため、従来例のようにスピーカ部１１と音量スイッチとを別々に実装する必要がないので、スピーカ装置３０全体の実装スペースを小さくすることができると共に、外観やデザインなどの制約が少なく、装置全体のコンパクト化を図ることができる。
【００５１】
また、このスピーカ装置３０では、スピーカユニット３１の一部が第１ケース２の側面に設けられた開口部１９から外部に突出しているので、装置全体をコンパクトに構成しても、スピーカユニット３１の外部に突出した部分を第１ケース２の外部から容易に且つ確実に回転操作することができ、これによりスピーカ部１１の音量を簡単に且つ良好に調節することができる。
【００５２】
このときには、スピーカユニット３１が第１ケース２に設けられた位置規制部３５、３６に接触して位置規制された状態で回転するので、スピーカユニット３１が勝手に回転することがなく、調節された状態の音量を保持することができ、これによっても使い勝手の良いものを得ることができる。また、スピーカユニット３１の外周面には滑り止め用の凹凸溝３１ｂが設けられているので、スピーカユニット３１が位置規制部３５、３６に接触していても、スピーカユニット３１を良好に且つ確実に回転させることができる。
【００５３】
この場合にも、第１、第２ケース２、３を閉じたときには、第１ケース２のスピーカユニット３１内に設けられたスピーカ部１１の磁石部１２と第２ケース３に設けられた磁石２５とがその磁力によって互いに引き寄せられているので、実施形態１と同様、第１、第２ケース２、３を確実に閉じることができ、これにより安全に携帯することができる。また、第２ケース３の磁石２５を吸引する磁石として、第１ケース２側に配置されたスピーカユニット３１内のスピーカ部１１の磁石部１２を利用していることにより、第１ケース２に専用の磁石を設ける必要がないため、部品点数を削減することができ、これによっても装置全体のコンパクト化をも図ることができる。
【００５４】
（実施形態３）
次に、図１５〜図２０を参照して、この発明のスピーカ装置を電子辞書に適用した実施形態３について説明する。この場合には、図１０〜図１４に示された実施形態２と同一部分に同一符号を付して説明する。
この電子辞書は、第１ケース２の手前両側に配置されたスピーカ装置３０のうち、右側に位置するスピーカ装置４０が実施形態２と異なる構造で、これ以外は実施形態２とほぼ同じ構造になっている。
【００５５】
すなわち、このスピーカ装置４０は、回転可能なスピーカユニット３１をスライド可能に保持するスライド機構４１と、スピーカユニット３１のスライドに応じてスピーカ機能とイヤホン機能とを切り替える切替スイッチ４２と、スピーカ部１１の音量を固定する音量固定スイッチ４３と、スピーカユニット３１を第１ケース２内から押し出す方向に付勢する付勢機構４４とを備えた構成になっている。
【００５６】
この場合、スピーカユニット３１は、実施形態２と同様、中空の円盤状に形成されたスピーカケース３１ａの内部にスピーカ部１１を設け、この状態で第１ケース２内に回転可能に配置され、その回転量が検出部３２で検出されるように構成されている。また、検出部３２は、図１７および図１８に示すように、スピーカユニット３１の下面に回転可能に配置された円板状の可動基板３３と、第１ケース２内の回路基板１４上に設けられた固定基板３４とを備え、この固定基板３４上に可動基板３３が後述するスライド機構４１によってスライド可能に配置された構成になっている。
【００５７】
すなわち、この検出部３２は、図１８および図１９に示すように、可動基板３３の上面に設けられた回転軸４５にスピーカユニット３１が回転可能に取り付けられ、この可動基板３３の上面、つまりスピーカユニット３１に対向する上面にほぼリング状の固定電極３３ａが設けられ、スピーカユニット３１の下面に固定電極３３ａ上を接触しながら移動する可動電極３３ｂが設けられ、可動基板３３の固定電極３３ａに対するスピーカユニット３１の可動電極３３ｂの接触位置によってスピーカユニット３１の回転量を検出し、スピーカ部１１の音量を調節するように構成されている。
【００５８】
スライド機構４１は、図１７および図１８に示すように、第１ケース２内の回路基板１４上に設けられた検出部３２の固定基板３４の上面にガイド軸４６が設けられ、このガイド軸４６が可動基板３３の下面に設けられたガイド溝４７内に移動可能に挿入され、この状態でガイド軸４６がガイド溝４７に沿って相対的に移動して可動基板３３が固定基板３４上をスライドすることにより、スピーカユニット３１が第１ケース２の出没方向にスライドするように構成されている。
【００５９】
切替スイッチ４２は、図１８および図２０に示すように、固定基板３４上に設けられた２つの固定電極３４ａと、可動基板３３の下面に設けられた１つの可動電極３４ｂとを有し、スピーカユニット３１のスライド動作に応じて可動基板３３がスライドすることにより、可動基板３３の可動電極３４ｂが固定基板３４の２つの固定電極３４ａのいずれかに接触することにより、スピーカ機能とイヤホン機能とを切り替えるように構成されている。
【００６０】
すなわち、この切替スイッチ４２は、スピーカユニット３１が第１ケース２の開口部１９から最も突出したときに、図２０に示すように、可動電極３４ｂが右側に位置する固定電極３４ａに接触してスピーカ機能に切り替わり、またスピーカユニット３１が第１ケース２の開口部１９内に最も押し込まれたときに、可動電極３４ｂが左側に位置する固定電極３４ａに接触してイヤホン機能に切り替わるように構成されている。
【００６１】
音量固定スイッチ４３は、図１８に示すように、検出部３２の固定基板３４上に設けられ、スピーカユニット３１が第１ケース２の開口部１９から第１ケース２内に向けて押し込まれたときに、可動基板３３によって押されてオンし、これによりスピーカユニット３１の回転操作によって調節された音量を電気的に固定するように構成されている。また、この音量固定スイッチ４３は、スピーカユニット３１が第１ケース２の開口部１９から外部に向けて押し出されたときに、可動基板３３が離脱してオフとなり、これにより音量の固定を電気的に解除するように構成されている。
【００６２】
付勢機構４４は、図１７に示すように、スピーカユニット３１の外周面に設けられた歯車部４８に噛み合って回転する補助歯車４９と、この補助歯車４９を回転可能に支持する支持軸５０と、この支持軸５０を付勢するコイルばね５１とを備えている。支持軸５０は、第１ケース２内にスピーカユニット３１のスライド方向に沿ってスライド可能に設けられていると共に、スピーカユニット３１が第１ケース２の開口部１９から第１ケース２内に向けて押し込まれたときにセルフロック機構（図示せず）によってロックされるように構成されている。
【００６３】
また、コイルばね５１は、第１ケース２内に設けられた固定部材５２と支持軸５０との間に配置され、この状態でスピーカユニット３１を第１ケース２の外部に向けて押し出す方向に支持軸５０を付勢するように構成されている。なお、セルフロック機構は、スピーカユニット３１が第１ケース２内に向けて押し込まれたときに支持軸５０を第１ケース２に対してロックし、この状態で再びスピーカユニット３１が押し込まれると、支持軸５０のロックを解除するように構成されている。
【００６４】
このような電子辞書によれば、実施形態２と同様の作用効果があるほか、特にスピーカ装置４０が、スピーカユニット３１を第１ケース２の出没方向にスライド可能に保持するスライド機構４１を備えているので、スピーカ部１１を使用しないときには、スライド機構４１によってスピーカユニット３１を第１ケース２内に押し込んで収納することができ、これによりコンパクトに携帯することができる。
【００６５】
この場合、このスピーカ装置４０は、付勢機構４４を備えているので、スピーカユニット３１を第１ケース２内に押し込んでも、付勢機構４４によって適宜スピーカユニット３１を押し出すことができる。このため、スピーカ部１１を使用するときには、スピーカユニット３１を第１ケース２から突出させることができ、これによりスピーカ部１１の音を良好に聞くことができると共に、いつでも自由にスピーカ部１１の音量を調節することができる。
【００６６】
また、この電子辞書のスピーカ装置４０によれば、スピーカユニット３１のスライドに応じてスピーカ機能とイヤホン機能とを切り替える切替スイッチ４２を備えているので、スピーカユニット３１をスライドさせるだけで、スピーカ機能とイヤホン機能とを簡単に且つ容易に切り替えることができる。例えば、スピーカユニット３１を押し込むことにより、イヤホン機能に切り替わり、イヤホンで音を聞くことができ、またスピーカユニット３１が押し出されると、スピーカ機能に切り替わる。
【００６７】
これにより、スピーカ機能とイヤホン機能とを容易に切り替えて、スピーカ部１１とイヤホンとのいずれかで良好に音を聞くことができ、これにより使い勝手の良いものを得ることができる。この場合、切替スイッチ４２は、検出部３２の固定基板３４上に設けられた固定電極３４ａと、検出部３２の可動基板３３に設けられた可動電極３４ｂとで構成されているので、切替スイッチ４２を検出部３２と一体に構成することができる。このため、このスピーカ装置４０は、切替スイッチ４２を備えていても、コンパクトに構成することができる。
【００６８】
また、この電子辞書では、スピーカ装置４０が音量固定スイッチ４３を備えているので、スピーカユニット３１を回転操作してスピーカ部１１の音量を調節した状態で、スピーカユニット３１をスライドさせて押し込むと、音量固定スイッチ４３がオンしてスピーカ部１１の音量を電気的に固定することができる。これにより、スピーカ部１１の音量を最適な状態に維持することができるので、不用意にスピーカ部１１が大きな音を発生することがなく、いつでも同じ音量でスピーカ部１１の音を良好に聞くことができ、これによっても使い勝手いの良いものを得ることができる。
【００６９】
この場合にも、第１、第２ケース２、３を閉じたときには、第１ケース２のスピーカユニット３１内に設けられたスピーカ部１１の磁石部１２と第２ケース３に設けられた磁石２５とがその磁力によって互いに引き寄せられているので、実施形態２と同様、第１、第２ケース２、３を確実に閉じることができ、これにより安全に携帯することができる。
【００７０】
なお、上記実施形態１〜３では、第１、第２ケース２、３を閉じたときに、第１ケース２のスピーカユニット３１内に設けられたスピーカ部１１の磁石部１２と第２ケース３に設けられた磁石２５とがその磁力によって互いに引き寄せられているように構成したが、これに限らず、例えば第２ケース３の磁石２５に代えて、ホール素子を用いることにより、このホール素子で第１、第２ケース２、３の開閉操作を検出して電源をオン−オフするようにしても良い。
【００７１】
また、上記実施形態１〜３では、電子機器として、電子辞書に適用した場合について述べたが、これに限らず、ＰＤＡなどの携帯情報端末機やノート型のパーソナルコンピュータなどの電子機器にも広く適用することができる。
【図面の簡単な説明】
【００７２】
【図１】この発明を適用した電子辞書を開いて使用する状態の平面図である。（実施形態１）
【図２】図１の電子辞書を閉じる状態を示した一部破断した側面図である。
【図３】図１の要部を示した拡大平面図である。
【図４】図３のＡ−Ａ矢視における拡大断面図である。
【図５】図３のＢ−Ｂ矢視においてスピーカケースが押し上げられて傾斜した状態の断面図である。
【図６】図３のＡ−Ａ矢視においてスピーカケースが押し上げられて傾斜した状態の断面図である。
【図７】図５の移動支持体を拡大して示した側面図である。
【図８】図４の音量スイッチを示した拡大断面図である。
【図９】図８の可動電極と固定電極との関係を示した平面図である。
【図１０】この発明を適用した電子辞書を開いて使用する状態の平面図である。（実施形態２）
【図１１】図１０の電子辞書を閉じる状態を示した一部破断した側面図である。
【図１２】図１０の要部を示した拡大平面図である。
【図１３】図１２の側面図である。
【図１４】図１２のＣ−Ｃ矢視における断面図である。
【図１５】この発明を適用した電子辞書の要部を示した拡大平面図である。（実施形態３）
【図１６】図１５の側面図である。
【図１７】図１５のＤ−Ｄ矢視における断面図である。
【図１８】図１７の要部を示した拡大断面図である。
【図１９】図１８の検出部における可動電極と固定電極との関係を示した平面図である。
【図２０】図１８の切替スイッチにおける可動電極と固定電極との関係を示した平面図である。
【符号の説明】
【００７３】
１  本体ケース
２  第１ケース
３  第２ケース
４  ヒンジ部
５  キーボード部
６、３０、４０  スピーカ装置
７  表示部
８、３１ａ  スピーカケース
９  スピーカ収納部
１０  回動軸
１１  スピーカ部
１２  磁石部
１３  コーン部
１４  回路基板
１５  音量スイッチ
１６  回転ダイヤル
１７、３２  検出部
１８  支持軸
１９  開口部
２０  連動機構
２１  歯車部
２２  歯車
２３  移動支持体
２５  磁石
３１  スピーカユニット
３３  可動基板
３４  固定基板
４１  スライド機構
４２  切替スイッチ
４３  音量固定スイッチ
４４  付勢機構
【図１】
2005252513.tif 000003
【図２】
2005252513.tif 000004
【図３】
2005252513.tif 000005
【図４】
2005252513.tif 000006
【図５】
2005252513.tif 000007
【図６】
2005252513.tif 000008
【図７】
2005252513.tif 000009
【図８】
2005252513.tif 000010
【図９】
2005252513.tif 000011
【図１０】
2005252513.tif 000012
【図１１】
2005252513.tif 000013
【図１２】
2005252513.tif 000014
【図１３】
2005252513.tif 000015
【図１４】
2005252513.tif 000016
【図１５】
2005252513.tif 000017
【図１６】
2005252513.tif 000018
【図１７】
2005252513.tif 000019
【図１８】
2005252513.tif 000020
【図１９】
2005252513.tif 000021
【図２０】
2005252513.tif 000022